(57)【要約】【課題】必要なときに自動的に制御が実行される確率を低下させることなく、不必要なときに車両搭載機器が自動的に制御されてしまう確率を低減させることができ、しかも、ユーザが不快感を覚える確率を低減させることができる車両搭載機器の自動制御装置を提供する。【解決手段】車両搭載機器の制御を実行するかどうかを判断するために予め定められた少なくとも一つの制御実行判断情報を取得して（Ｓ１０）、その取得した制御実行判断情報が問いかけ条件を満たす場合には（Ｓ３０がＹＥＳ）、運転者に対して車両搭載機器の制御を実行するか否かを問いかけ（Ｓ６０）、運転者が車両搭載機器の制御の実行を肯定していると判断した場合（Ｓ７０がＹＥＳ）には車両搭載機器の制御を実行する（Ｓ８０）。一方、取り込んだ前記制御実行判断情報が自動実行条件を満たす場合には（Ｓ３０がＹＥＳ）、問いかけをすることなく車両搭載機器の制御を実行する（Ｓ４０）。【選択図】図２
2007038932.tif 000002
【特許請求の範囲】
【請求項１】
車両搭載機器の制御を実行するかどうかを判断するために予め定められた少なくとも一つの制御実行判断情報を取得して、その取得した制御実行判断情報が問いかけ条件を満たす場合には、搭乗者に対して前記車両搭載機器の制御を実行するか否かを問いかける問いかけ出力制御を実行し、搭乗者が前記車両搭載機器の制御の実行を肯定していると判断したことに基づいて前記車両搭載機器の制御を実行する一方、
取り込んだ前記制御実行判断情報が自動実行条件を満たす場合には、前記問いかけ出力制御を実行することなく、前記車両搭載機器の制御を実行する
ことを特徴とする車両搭載機器の自動制御装置。
【請求項２】
前記問いかけ出力制御を実行した後、問いかけに対する搭乗者の応答結果に基づいて前記問いかけ条件および自動実行条件を学習して、問いかけ条件を狭くし、自動実行条件を広くしていくことを特徴とする請求項１に記載の車両搭載機器の自動制御装置。
【請求項３】
搭乗者が前記車両搭載機器の制御の実行を肯定していると判断した場合には、予め区分された複数範囲において前記制御判断実行情報が含まれる範囲の総和値に、所定の加算値を順次加え、その総和値が所定の条件変更値以上となった場合に、前記問いかけ条件を狭くし、前記自動実行条件を広くするが、
搭乗者が前記車両搭載機器の制御の実行を否定していると判断する毎に、予め区分された複数範囲において前記制御判断実行情報が含まれる範囲の総和値から、前記加算値よりも大きな数値を減算することを特徴とする請求項２に記載の車両搭載機器の自動制御装置。
【請求項４】
前記車両搭載機器が搭乗者によって操作可能な機器であって、その車両搭載機器の制御を実行した後に、搭乗者がその車両搭載機器を操作して制御内容を変更した場合には、その搭乗者の操作に基づいて、前記問いかけ条件および自動実行条件を学習することを特徴とする請求項１乃至３のいずれかに記載の車両搭載機器の自動制御装置。
【請求項５】
前記車両搭載機器が搭乗者によって操作可能な機器であって、
前記問いかけ条件および前記自動実行条件のいずれもが成立していないときに、搭乗者によって前記車両搭載機器が操作されたと判定した場合には、前記問いかけ条件を学習することを特徴とする請求項１乃至４のいずれかに記載の車両搭載機器の自動制御装置。
【請求項６】
前記問いかけ出力制御における問いかけ内容が、肯定および否定のいずれか一方の指示を搭乗者に求める内容であって、搭乗者が問いかけに対する指示を入力するための指示ボタンとして、肯定を意味する肯定ボタンと否定を意味する否定ボタンがそれぞれ設けられていることを特徴とする請求項１乃至５のいずれかに記載の車両搭載機器の自動制御装置。
【請求項７】
請求項６に記載の車両搭載機器の自動制御装置であって、
前記問いかけ出力制御を実行した後、前記肯定ボタンおよび否定ボタンのいずれもが押されずに所定の時間が経過したことに基づいて、前記の肯定ボタンおよび否定ボタンのうちの予め定められたいずれか一方が操作された場合と同様の処理を実行することを特徴とする車両搭載機器の自動制御装置。
【請求項８】
前記問いかけ出力制御における問いかけ内容が、肯定および否定のいずれか一方の指示を搭乗者に求める内容であって、搭乗者が問いかけに対する指示を入力するための指示ボタンとして、肯定を意味する肯定ボタンおよび否定を意味する否定ボタンのいずれか一方が設けられており、前記問いかけ出力制御を実行した後、その指示ボタンが押されずに所定の時間が経過したことに基づいて、その指示ボタンによって指示される側とは反対側の指示がされたと判断することを特徴とする請求項１乃至５のいずれかに記載の車両搭載機器の自動制御装置。
【請求項９】
前記指示ボタンとして前記肯定ボタンが設けられており、
前記問いかけ出力制御を実行した後、その肯定ボタンが押されずに所定の時間が経過したことに基づいて、前記問いかけ内容に対して否定の指示がされたと判断することを特徴とする請求項８に記載の車両搭載機器の自動制御装置。
【請求項１０】
請求項６乃至９のいずれかに記載の車両搭載機器の自動制御装置であって、
複数種類の車両搭載機器を対象として前記問いかけ出力制御を実行するが、一つの前記指示ボタンまたは前記肯定ボタンおよび前記否定ボタンからなる一組の指示ボタンによって複数種類の車両搭載機器についての問いかけに対する指示が入力できるようになっていることを特徴とする車両搭載機器の自動制御装置。
【請求項１１】
請求項６乃至９のいずれかに記載の車両搭載機器の自動制御装置であって、
複数種類の車両搭載機器を対象として前記問いかけ出力制御を実行するが、その問いかけ出力制御の対象となっている全ての車両搭載機器についての問いかけに対して、一つの前記指示ボタンまたは前記肯定ボタンおよび前記否定ボタンからなる一組の指示ボタンによって指示が入力できるようになっていることを特徴とする車両搭載機器の自動制御装置。
【請求項１２】
前記車両搭載機器が搭乗者によって操作可能、且つ、制御を実行したことが搭乗者にとって分からない、または分かりにくい予め定められた機器である場合において、
前記問いかけ出力制御を実行することなく車両搭載機器の制御を実行した場合には、制御を実行したことを意味する所定の通知を出力することを特徴とする請求項１乃至１１のいずれかに記載の車両搭載機器の自動制御装置。
【請求項１３】
運転者を識別する運転者識別手段を備えているととともに、
前記問いかけ条件および自動実行条件が運転者別に設けられていることを特徴とする請求項１乃至１２のいずれかに記載の車両搭載機器の自動制御装置。
【請求項１４】
運転者が車両に搭乗したことに基づいて、前記問いかけ出力制御の実行を許可するか否かを問い合わせるための所定の出力を出力装置から出力し、問いかけ出力制御の実行を許可することを意味する所定の入力操作が行われたと判断した場合に、前記問いかけ出力制御を実行することを特徴とする請求項１乃至１３のいずれかに記載の車両搭載機器の自動制御装置。
【請求項１５】
前記指示ボタンが前記問いかけ出力制御の実行を許可する許可ボタンとしても機能していることを特徴とする請求項１乃至１４のいずれかに記載の車両搭載機器の自動制御装置。
【請求項１６】
前記指示ボタンが前記問いかけ出力制御の実行の禁止を指示する禁止ボタンとしても機能していることを特徴とする請求項１乃至１５のいずれかに記載の車両搭載機器の自動制御装置。
【請求項１７】
前記問いかけ条件が成立した場合に、運転者が運転操作に集中すべきときを意味する問いかけ禁止条件が成立するか否かをさらに判断し、その問いかけ禁止条件が成立する場合には、前記問いかけ出力制御を実行しないことを特徴とする請求項１乃至１６のいずれかに記載の車両搭載機器の自動制御装置。
【請求項１８】
前記問いかけ禁止条件は、操舵角が、連続的な操舵操作を要する角度として設定された所定角以上であることを特徴とする請求項１７に記載の車両搭載機器の自動制御装置。
【請求項１９】
前記問いかけ禁止条件は、スロットル開度が予め設定された所定開度以上であることを特徴とする請求項１７に記載の車両搭載機器の自動制御装置。
【請求項２０】
前記問いかけ禁止条件は、ブレーキが操作されている状態であることを特徴とする請求項１７に記載の車両搭載機器の自動制御装置。
【請求項２１】
前記問いかけ条件および前記自動実行条件が外部機器に対し出力可能となっていることを特徴とする請求項１乃至２０のいずれかに記載の車両搭載機器の自動制御装置。
【請求項２２】
前記問いかけ条件および前記自動実行条件が外部機器から入力可能となっていることを特徴とする請求項１乃至２１のいずれかに記載の車両搭載機器の自動制御装置。
【請求項２３】
請求項１１に記載の車両搭載機器の自動制御装置を一つだけ搭載していることを特徴とする車両。
【発明の詳細な説明】
【技術分野】
【０００１】
本発明は、車両に搭載されている所定の車両搭載機器を自動的に制御する車両搭載機器の自動制御装置、およびその装置を搭載した車両に関する。
【背景技術】
【０００２】
オートライト、オートワイパなど、車両に搭載されている被制御機器（ライト、ワイパなど）を自動的に制御する自動制御装置が知られている。オートライトの場合、車両周辺の明るさをセンサによって検知し、明るさが所定の明るさ（暗さ）となったらライトを自動的に点灯させている。オートワイパの場合、雨量をセンサによって検知し、雨量が所定量以上となったらワイパを自動的に駆動させている。また、雨量に基づいてワイパの駆動速度を変更する場合もある。
【０００３】
また別の自動制御装置として、エージェント装置も知られている。たとえば、特許文献１の装置がそれである。エージェント装置はディスプレイを備えており、そのディスプレイ上に人や動物などのエージェント（仲介する人または物）を表示させ、そのエージェントを介して、対話形式により運転者またはその他の搭乗者が車両に搭載された様々な被制御機器を制御することを望んでいるか否かを判断し、望んでいることが判断できた場合には、制御を実行する装置である。
【０００４】
たとえば、特許文献１では、「ラジオの電源を入れましょうか」、「食堂の案内をしましょうか」などの問いかけをして、「はい」等の提案を受容する応答が認識できた場合に、被制御機器（ラジオ、ナビゲーション装置など）の制御を自動的に実行している。
【特許文献１】特開２０００−１８６９４２号公報
【発明の開示】
【発明が解決しようとする課題】
【０００５】
前述のオートワイパ、オートライトのように、センサからの信号に基づいて制御を自動的に実行するか否かを判断している場合、不必要なときに制御が実行されてしまい、不快感を覚えることがあった。不必要なときに制御が実行されないようにするには、自動制御を実行する条件を厳しく（たとえば、オートライトの場合には、ライトを自動点灯させ始める暗さをより暗く）すればよいのだが、そうすると、必要なときに制御が自動的に実行される確率が低下してしまう。
【０００６】
一方、前述の特許文献１のように、制御を実行する前に問いかけをして、返答結果に基づいて自動制御を実行するか否かを決定すれば、必ず、ユーザが望んだ結果となるので、不必要なときに自動的に制御されてしまう確率を低減させつつ、必要なときに自動的に制御が実行される確率を向上させることができる。しかし、問いかけられるまでもなく当然に制御を実行するような状況においてまで、問いかけをされると、不快感が生じてしまう。
【０００７】
本発明は、この事情に基づいて成されたものであり、その目的とするところは、必要なときに自動的に制御が実行される確率を低下させることなく、不必要なときに車両搭載機器が自動的に制御されてしまう確率を低減させることができ、しかも、ユーザが不快感を覚える確率を低減させることができる車両搭載機器の自動制御装置、およびその装置を搭載した車両を提供することにある。
【課題を解決するための手段】
【０００８】
その目的を達成するための請求項１記載の発明は、車両搭載機器の制御を実行するかどうかを判断するために予め定められた少なくとも一つの制御実行判断情報を取得して、その取得した制御実行判断情報が問いかけ条件を満たす場合には、搭乗者に対して前記車両搭載機器の制御を実行するか否かを問いかける問いかけ出力制御を実行し、搭乗者が前記車両搭載機器の制御の実行を肯定していると判断したことに基づいて前記車両搭載機器の制御を実行する一方、取り込んだ前記制御実行判断情報が自動実行条件を満たす場合には、前記問いかけ出力制御を実行することなく、前記車両搭載機器の制御を実行することを特徴とする車両搭載機器の自動制御装置である。
【０００９】
この請求項１に記載の発明によれば、問いかけ条件を満たす場合には、車両搭載機器の制御を実行する前に、搭乗者に対してその車両搭載機器の制御を実行するか否かを問いかけるので、不必要なときに自動的に車両搭載機器の制御を実行してしまう確率を低減でき、且つ、その問いかけは、問いかけ条件を満たす場合のみなので、搭乗者が不快感を覚える確率を低減させることができる。しかも、自動実行条件を満たす場合には、その問いかけを実行することなく自動的に車両搭載機器の制御を実行するので、必要なときに自動的に制御を実行する確率は維持できる。
【００１０】
なお、車両搭載機器の制御の実行には、それまでの制御とは異なった内容の制御の実行、すなわち制御内容の変更も含まれる。
【００１１】
ここで、請求項２記載のように、前記問いかけ条件および自動実行条件は学習していくことが好ましい。すなわち、請求項２記載の発明は、請求項１に記載の車両搭載機器の自動制御装置において、前記問いかけ出力制御を実行した後、問いかけに対する搭乗者の応答結果に基づいて前記問いかけ条件および自動実行条件を学習して、問いかけ条件を狭くし、自動実行条件を広くしていくことを特徴とする。
【００１２】
このようにして、学習に基づいて問いかけ条件を狭くし、自動実行条件を広くしていけば、次第に問いかけの頻度が低下していくので、ユーザが不快感を覚える確率をより低減させることができ、しかも、必要なときに自動的に車両搭載機器の制御が実行される確率は向上する。
【００１３】
ここで、ユーザは、不必要なときに自動的に機器が制御されてしまうことを特に嫌う傾向にあり、必要なときに自動的に制御が行われる確率が低下してもよいから、不必要なときに自動的に機器が制御されないようになることを望む傾向にある。
【００１４】
そこで、請求項３のようにすることが好ましい。請求項３に記載の発明は、搭乗者が前記車両搭載機器の制御の実行を肯定していると判断した場合には、予め区分された複数範囲において前記制御判断実行情報が含まれる範囲の総和値に、所定の加算値を順次加え、その総和値が所定の条件変更値以上となった場合に、前記問いかけ条件を狭くし、前記自動実行条件を広くするが、搭乗者が前記車両搭載機器の制御の実行を否定していると判断する毎に、予め区分された複数範囲において前記制御判断実行情報が含まれる範囲の総和値から、前記加算値よりも大きな数値を減算することを特徴とする。
【００１５】
この請求項３記載の発明は、問いかけに対する搭乗者の返答が否定である場合を、肯定であるよりも重く扱うものであり、このようにすると、自動実行条件が広くなりにくくなるが、反面、不必要なときに自動的に車両搭載機器の制御が実行される確率を低減できる。
【００１６】
また、好ましくは、請求項４記載のようにする。すなわち、前記車両搭載機器が搭乗者によって操作可能な機器である場合において、その車両搭載機器の制御を実行した後に、搭乗者がその車両搭載機器を操作して制御内容を変更した場合には、その搭乗者の操作に基づいて、前記問いかけ条件および自動実行条件を学習する。このようにすれば、問いかけ条件および自動実行条件がより適切なものとなる。
【００１７】
また、請求項５記載のようにすることも好ましい。請求項５記載の発明は、請求項１乃至４のいずれかに記載の車両搭載機器の自動制御装置において、前記車両搭載機器が搭乗者によって操作可能な機器であって、前記問いかけ条件および前記自動実行条件のいずれもが成立していないときに、搭乗者によって前記車両搭載機器が操作されたと判定した場合には、前記問いかけ条件を学習することを特徴とする。このようにしても、問いかけ条件がより適切なものとなる。
【００１８】
また、請求項６記載の発明は、請求項１乃至５のいずれかに記載の車両搭載機器の自動制御装置において、前記問いかけ出力制御における問いかけ内容が、肯定および否定のいずれか一方の指示を搭乗者に求める内容であって、搭乗者が問いかけに対する指示を入力するための指示ボタンとして、肯定および否定を意味するボタンがそれぞれ設けられていることを特徴とする。
【００１９】
このようにすれば、搭乗者はボタン操作によって問いかけに対する指示を入力することができ、ボタン操作は、音声で返答する場合よりも搭乗者にとって馴染み易いため、音声によって問いかけに対する入力（返答）を行う態様よりも搭乗者の不快感を減少させることができる。
【００２０】
請求項６記載の態様のように、肯定ボタンおよび否定ボタンが設けられている場合であっても、請求項７のように、前記問いかけ出力制御を実行した後、前記肯定ボタンおよび否定ボタンのいずれもが押されずに所定の時間が経過したことに基づいて、前記の肯定ボタンおよび否定ボタンのうちの予め定められたいずれか一方が操作された場合と同様の処理を実行するようにしてもよい。つまり、無応答を、肯定および否定のいずれか一方と判断するようにしてもよい。このようにすれば、搭乗者がいずれのボタンも操作しない場合であっても処理を進めることが可能となり、また、搭乗者にとってはボタン操作の手間を省略することができる。
【００２１】
また、指示ボタンは、請求項８のように肯定ボタンおよび否定ボタンのいずれか一方だけであってもよい。すなわち、請求項８に記載の発明は、請求項１乃至５のいずれかに記載の車両搭載機器の自動制御装置において、前記問いかけ出力制御における問いかけ内容が、肯定および否定のいずれか一方の指示を搭乗者に求める内容であって、搭乗者が問いかけに対する指示を入力するための指示ボタンとして、肯定を意味する肯定ボタンおよび否定を意味する否定ボタンのいずれか一方が設けられており、前記問いかけ出力制御を実行した後、その指示ボタンが押されずに所定の時間が経過したことに基づいて、その指示ボタンによって指示される側とは反対側の指示がされたと判断することを特徴とする。
【００２２】
このようにして、問いかけ内容を搭乗者が肯定しているか否定しているかを一つの指示ボタンが押されたか否かで判断するようにすれば、肯定ボタンおよび否定ボタンの二つの指示ボタンを設ける場合に比較して指示ボタンの数を減らすことができるので、配置スペースが限られている運転席近傍に、容易に指示ボタンを配置することができる。
【００２３】
上記指示ボタンとして設けるのは、請求項９のように、肯定ボタンであることが好ましい。指示ボタンとして肯定ボタンを設ける場合、前記問いかけ出力制御を実行した後、その肯定ボタンが押されずに所定の時間が経過したことに基づいて、前記問いかけ内容に対して否定の指示がされたと判断することになる。このように、問いかけ内容を肯定する場合にボタンを押し、否定する場合にボタンを押さない（無視する）という態様は搭乗者に馴染みやすいからである。ただし、これとは逆に、指示ボタンとして否定ボタンを設けてもよい。
【００２４】
本発明の自動制御装置によって制御する車両搭載機器は一種類のみであってもよいのであるが、複数種類の車両搭載機器をまとめて制御することが好ましい。その場合には、上記肯定ボタンおよび否定ボタンが車両搭載機器毎に設けられてもよいのであるが、請求項１０のようにすることが好ましい。
【００２５】
請求項１０に記載の発明は、請求項６乃至９のいずれかに記載の車両搭載機器の自動制御装置において、複数種類の車両搭載機器を対象として前記問いかけ出力制御を実行するが、一つの前記指示ボタンまたは前記肯定ボタンおよび前記否定ボタンからなる一組の指示ボタンによって複数種類の車両搭載機器についての問いかけに対する指示が入力できるようになっていることを特徴とする。
【００２６】
このようにすれば、車両搭載機器毎にそれぞれボタンが設けられている場合に比較して、ボタンの数を減らすことができる。
【００２７】
上記請求項１０に記載の態様には、たとえば車両搭載機器が６種類あり、そのうちの３種類の車両搭載機器についての問いかけに対する指示ボタンとして、一つまたは一組の指示ボタンが設けられており、他の３種類の車両搭載機器についての問いかけに対する指示ボタンとして、別の一つまたは一組の指示ボタンが設けられている態様も含まれるが、より好ましくは、請求項１１に記載のようにする。
【００２８】
すなわち、請求項１１に記載の発明は、請求項６乃至９のいずれかに記載の車両搭載機器の自動制御装置において、複数種類の車両搭載機器を対象として前記問いかけ出力制御を実行するが、その問いかけ出力制御の対象となっている全ての車両搭載機器についての問いかけに対して、一つの前記指示ボタンまたは前記肯定ボタンおよび前記否定ボタンからなる一組の指示ボタンによって指示が入力できるようになっていることを特徴とする。このようにすれば、一層、指示ボタンの数を減らすことができる。
【００２９】
また、前記車両搭載機器が搭乗者によって操作可能、且つ、制御を実行したことが搭乗者にとって分からないまたは分かりにくい予め定められた機器である場合、請求項１２記載のように、前記問いかけ出力制御を実行することなく車両搭載機器の制御を実行した場合には、制御を実行したことを意味する所定の通知を出力することが好ましい。
【００３０】
このようにすれば、搭乗者は、車両搭載機器が自動で制御されたことを確実に知ることができるようになるので、その制御を望まない場合には、操作し直すことが可能となる。
【００３１】
また、請求項１３記載のように、運転者を識別する運転者識別手段を備えているととともに、前記問いかけ条件および自動実行条件が運転者別に設けられていることが好ましい。問いかけを望む条件および自動的に制御を実行することを望む条件は、運転者によって異なるからである。
【００３２】
また、請求項１４に記載の発明は、請求項１乃至１３のいずれかに記載の車両搭載機器の自動制御装置において、運転者が車両に搭乗したことに基づいて、前記問いかけ出力制御の実行を許可するか否かを問い合わせるための所定の出力を出力装置から出力し、問いかけ出力制御の実行を許可することを意味する所定の入力操作が行われたと判断した場合に、前記問いかけ出力制御を実行することを特徴とする。
【００３３】
このようにすれば、運転中に問いかけられることを一切望まない運転者に対して、問いかけることによって不快感を与えてしまうことを防止できる。
【００３４】
また、請求項１５に記載のようにして問いかけ出力制御の実行を許可できるようにしてもよい。すなわち、請求項１５に記載の発明は、請求項１乃至１４のいずれかに記載の車両搭載機器の自動制御装置において、前記指示ボタンが前記問いかけ出力制御の実行を許可する許可ボタンとしても機能していることを特徴とする。
【００３５】
このようにすれば、搭乗者は、自分の意思で問いかけ出力制御の実行を許可するかどうかを決定することができ、また、指示ボタンが許可ボタンとしても機能しているので、ボタンの数を減らすこともできる。
【００３６】
さらに、請求項１６のようにして問いかけ出力制御の実行を禁止できるようにしてもよい。すなわち、請求項１６に記載の発明は、請求項１乃至１５のいずれかに記載の車両搭載機器の自動制御装置において、前記指示ボタンが前記問いかけ出力制御の実行の禁止を指示する禁止ボタンとしても機能していることを特徴とする。
【００３７】
このようにすれば、搭乗者は、自分の意思で問いかけ出力制御の実行を禁止するかどうかを決定することができ、また、指示ボタンが禁止ボタンとしても機能しているので、ボタンの数を減らすこともできる。
【００３８】
また、請求項１７のように、問いかけ条件が成立しても、所定の場合には問いかけを行わないようにすることが好ましい。請求項１７に記載の発明は、請求項１乃至１６のいずれかに記載の車両搭載機器の自動制御装置において、前記問いかけ条件が成立した場合に、運転者が運転操作に集中すべきときを意味する問いかけ禁止条件が成立するか否かをさらに判断し、その問いかけ禁止条件が成立する場合には、前記問いかけ出力制御を実行しないことを特徴とする。このようにすれば、問いかけによって運転操作が不安定になってしまうことを防止できる。
【００３９】
ここで、前記問いかけ禁止条件は、たとえば、請求項１８に記載のように、操舵角が、連続的な操舵操作を要する角度として設定された所定角以上という条件である。操舵角がこのような角度である場合には、連続的な操舵操作を要するので、そのときには、問いかけを行わないようにすると、運転者は運転操作に集中することができる。
【００４０】
また、請求項１９に記載のように、前記問いかけ禁止条件をスロットル開度が予め設定された所定開度以上であることとすることもできるし、請求項２０に記載のように、ブレーキが操作されている状態であるとすることもできる。また、請求項１８乃至２０の問いかけ禁止条件を組み合わせて用いることもできる。
【００４１】
また、請求項２１に記載のように、前記問いかけ条件および前記自動実行条件が外部機器に対し出力可能となっていることが好ましく、また、請求項２２に記載のように、前記問いかけ条件および前記自動実行条件が外部機器から入力可能となっていることが好ましい。
【００４２】
このようにすれば、別な車両においても、同じ条件で問いかけ出力制御や車両搭載機器の自動制御が実行されることになるので、搭乗者が車両を代えた場合にも違和感が生じない。
【００４３】
また、上記車両搭載機器の自動制御装置は、一つの車両に複数装置搭載されていてもよいが、請求項１１に記載の車両搭載機器の自動制御装置のように、一組の指示ボタン（肯定ボタンおよび否定ボタン）または一つの指示ボタン（肯定ボタンまたは否定ボタン）によって全ての問いかけに対する指示を入力することができるようになっている場合には、請求項２３のように、車両には、その車両搭載機器の自動制御装置が一つだけ搭載されていることが好ましい。
【００４４】
このようにすれば、指示ボタンは車両に一つまたは一組だけ設けられることになることから、搭乗者は、一つまたは一組の指示ボタンによって全ての問いかけに対して指示を入力することができるので、操作性が向上する。
【発明を実施するための最良の形態】
【００４５】
以下、本発明の実施の形態を、図面に基づいて説明する。図１は、本発明の車両搭載機器の自動制御装置（以下、単に自動制御装置という）１０を示す図である。なお、この自動制御装置１０は、車両に一つのみ設けられている。
【００４６】
自動制御装置１０は、所謂コンピュータである制御装置２０と、メモリ３０と、出力装置であるスピーカ４０と、肯定ボタンであるＹＥＳボタン５０と、否定ボタンであるＮＯボタン６０と、ディスプレイ７０と、操作ボタン群７５とを備えている。
【００４７】
上記制御装置２０は、その内部に、周知のＣＰＵ、ＲＯＭ、ＲＡＭ、Ｉ／Ｏおよびこれらの構成を接続するためのバスラインを備えている。ＲＯＭには、制御装置２０が実行するためのプログラムが書き込まれており、このプログラムに従ってＣＰＵが所定の演算処理を実行する。
【００４８】
上記制御装置２０は、車内ＬＡＮ９０を介して、複数種類（図では３種類）の車両搭載機器１００、２００、３００と相互に通信可能に接続されている。また、複数種類（図では４種類）のセンサ８０、８１、８２、８３からの信号も供給されるようになっている。
【００４９】
メモリ３０は、たとえば、ＥＰＲＯＭなどの書き換え可能な記憶媒体であり、車両搭載機器１００、２００、３００別（または、ナビゲーション装置のように複数の機能を備えている場合には機能別（制御別））、および、ユーザ別に、問いかけ条件および自動実行条件を記憶している。
【００５０】
制御装置２０には入出力ポートしてのＵＳＢポート９５も接続されており、制御装置２０は、このＵＳＢポート９５を介して接続される図示しない外部機器（たとえば、パーソナルコンピュータ等のコンピュータや、可搬型の記憶媒体）に、メモリ３０に記憶されている上記問いかけ条件および自動実行条件を出力し、また逆に、その外部機器に記憶されている問いかけ条件および自動実行条件を読み込んで、メモリ３０に記憶されている問いかけ条件および自動実行条件を書き換える機能を有している。
【００５１】
問いかけ条件とは、車両搭載機器１００、２００、３００の制御を実行するか否かをスピーカ４０を介してユーザに問いかける問いかけ制御を実行するかどうかを決定する条件である。また、自動実行条件とは、その車両搭載機器１００、２００、３００を自動的に（問いかけ出力制御なしに）制御するかどうかを決定する条件である。上記問いかけ条件および自動実行条件は、予め定められ少なくとも一つの制御実行判断情報に対して条件（問いかけ条件または自動実行条件）を満たす範囲が設定されたものである。
【００５２】
車両搭載機器１００、２００、３００は、たとえば、ワイパ、エアコン、ヘッドライト、ナビゲーション装置、ラジオ、ドアロック、空気清浄機などであり、制御装置２０によって制御が可能な機器であればよい。なお、これらの車両搭載機器１００、２００、３００には、その機能に応じて、センサ１０１、２０１、３０１、操作装置１０２、２０２、３０２、アクチュエータ１０３、２０３、３０３が接続されている。
【００５３】
センサ１０１、２０１、３０１によって検出される信号(情報)、および、操作装置１０２、２０２、３０２が操作されたこと（または操作装置の操作位置）を示す信号は、車両搭載機器１００、２００、３００および車内ＬＡＮ９０を介して制御装置２０へも供給可能となっている。
【００５４】
ここで、前記問いかけ条件および自動実行条件についてさらに説明する。たとえば、車両搭載機器１００がワイパであるとすると、制御実行判断情報は雨量ｒであり、センサ８０〜８３または１０１として、雨量センサが設けられることになる。そして、問いかけ条件としては、単位時間当たりの雨量ｒが比較的少量（あるいは雨量センサの検出下限）の第１雨量ｒ１からそれよりも多い第２雨量ｒ２までの範囲が条件成立範囲として設定され、自動実行条件としては、その第２雨量ｒ２よりも多い範囲が条件成立範囲として設定されることになる。
【００５５】
また、車両搭載機器２００がヘッドライトであるとすると、制御実行判断情報は車両周辺の明るさＬとなり、センサ８０〜８３または２０１として、明るさセンサが設けられることになる。そして、問いかけ条件としては、明るさＬが所定の明るさＬ１から、その明るさＬ１よりも暗い所定の明るさＬ２までの範囲が条件成立範囲として設定され、自動実行条件としては、その明るさＬ２よりも暗い範囲が条件成立範囲として設定されることになる。
【００５６】
また、車両搭載機器３００がナビゲーション装置であって、本発明の装置による制御対象の機能が天気情報をそのナビゲーション装置に備えられたディスプレイ（図示せず）に表示する制御であるとすると、制御実行判断情報は、たとえば、一日のうちでの何回目の搭乗かを示す情報と、曜日と、時間帯とすることができる。そして、問いかけ条件としては、一日のうちで初回の搭乗であることのみで、曜日、時間帯の限定は当初はなしとすることができる。また、自動実行条件は、初期設定としては、たとえば、なしとする。このように自動実行条件の初期設定をなしとすることもできる。このようにしても、学習の結果次第では、問いかけ条件の一部が自動実行条件となっていく。なお、ナビゲーション装置が設けられている場合には、そのナビゲーション装置に備えられたディスプレイが前記ディスプレイ７０として機能してもよい。
【００５７】
ＹＥＳボタン５０およびＮＯボタン６０によっては、いずれもプッシュ式のボタンであり、車幅灯の点灯と連動して、或いは、車幅灯が点灯しており、且つ、問い合わせのためのメッセージがスピーカ４０から出力がされている期間およびその後所定時間は、点灯するようになっている。このＹＥＳボタン５０およびＮＯボタン６０によって一組の指示ボタンが構成されており、この一組の指示ボタンは、運転者の操作しやすい位置例えばハンドル上などに設置されている。
【００５８】
操作ボタン群７５は、ディスプレイ７０と一体になったタッチスイッチもしくはディスプレイ７０の周辺に設けられるメカニカルなボタンである。
【００５９】
上記制御装置２０は、運転者が車両に搭乗したと判断した場合、搭乗時に一回だけ、後述する問いかけ出力制御の実行を許可するか否かを問い合わせるための所定の出力、たとえば、「問いかけを開始しますか」という問いかけメッセージを、スピーカ４０から出力させる。なお、運転者が車両に搭乗したことの判断は、たとえば、運転席に設けられた着座センサからの信号に基づいて行う。
【００６０】
上記問いかけメッセージに対して、運転者がＹＥＳボタン５０を押した場合には、運転者が問いかけ出力制御の実行を許可していると判断できるので、制御装置２０は、さらに以下の処理を実行する。なお、ＹＥＳボタン５０およびＮＯボタン６０の少なくとも一方が問いかけ制御の実行を許可する許可ボタンを兼ねていてもよい。たとえば、問いかけ制御を実行していないときにＹＥＳボタン５０またはＮＯボタン６０が数秒程度の所定時間以上、押し続けられた場合に、問いかけ出力制御の実行が指示されたと判断してもよい。
【００６１】
そして、問いかけ出力制御の実行が許可（指示）されたと判断できた場合には、制御装置２０は、さらに、ディスプレイ７０に、メモリ３０に登録済みのユーザ名を表示するとともに、表示したユーザ名から該当するユーザ名を選択することを求めるメッセージをスピーカ４０から出力する。そして、操作ボタン群７５の操作により、一人のユーザ名が選択されることにより、運転者が識別される。このようにして運転者が誰であるかが識別されるので、ユーザ名を記憶しているメモリ３０と、登録済みのユーザ名を表示するディスプレイ７０と、表示されたユーザ名から一人のユーザを選択するための操作ボタン群７５と、メモリ３０に記憶されたユーザ名をディスプレイ７０に表示させる等の制御を実行する制御装置２０によって運転者識別手段が構成される。なお、本実施形態とは異なり、運転者の画像を撮像して画像認識から運転者を識別したり、運転者の発した音声から運転者を識別したりする等の公知の他の生体識別手段を運転者識別手段として用いることもできる。
【００６２】
このようにして運転者が識別できた場合には、図２に示す制御を実行する。一方、上記問いかけメッセージに対して、運転者がＮＯボタン６０を押した場合には、運転者は運転中の問いかけ制御を一切望んでいないと判断できるので、図２に示す制御を実行しない。また、問いかけメッセージの出力後、所定時間内にいずれのボタンも押されない場合には、ＮＯボタン６０が押された場合と同様に、図２に示す制御を実行しない。
【００６３】
次に、図２に示す制御内容を説明する。なお、この図２に示す制御は、比較的短い時間に設定された所定の繰り返し周期毎に繰り返し実行する。なお、ＹＥＳボタン５０およびＮＯボタン６０のうちの予め定められたボタン（一方でも両方でもよい）は禁止ボタンとしても機能しており、ＹＥＳボタン５０およびＮＯボタン６０のうちの予め定められたボタンが所定時間以上押し続けられた場合に、図２に示す制御を終了するようになっている。
【００６４】
図２において、まず、ステップＳ１０では、制御実行判断情報を取得する。この制御実行判断情報は、前述のように車両搭載機器１００、２００、３００別に予め設定されているので、このステップＳ１０では、車内ＬＡＮ９０によって接続されている車両搭載機器１００、２００、３００にとって必要な種類の制御実行判断情報を取得する。なお、ステップＳ２０以下は、車両搭載機器１００、２００、３００別に実行する。
【００６５】
ステップＳ２０では、車両搭載機器１００、２００、３００の制御を希望している可能性があるか否かを判断する。この判断は、具体的には、上記ステップＳ１０で取得した制御実行判断情報が、ユーザ別および車両搭載機器別に記憶された問いかけ条件および自動実行条件のいずれか一方を満たすか否かを判断するものである。自動実行条件が成立するときは、ユーザに問いかけるまでもなく、車両搭載機器を制御すべき場合であり、また、問いかけ条件が成立するときは、ユーザが車両搭載機器の制御を希望する可能性があるからである。
【００６６】
なお、ワイパやヘッドライトのように、一度制御すると、その後、再制御しない限り、オン状態が継続する機器の場合には、現在のオン状態も含めてこのステップＳ２０の判断を行う。たとえば、ワイパに対する自動実行条件が成立していても、すでにワイパが動いている場合には、制御する必要がないため、ステップＳ２０の判断は否定される。
【００６７】
このステップＳ２０の判断が肯定判断である場合には、ステップＳ３０において、問いかけ条件が成立しているか、或いは、自動実行条件が成立しているかをさらに判断する。なお、このステップＳ３０では、問いかけ条件が成立しているか、或いは、自動実行条件が成立しているかのいずれか一方を判断するようになっており、問いかけ条件および自動実行条件は、このステップＳ３０において判断が可能なように、互いに重複しないように設定される。
【００６８】
自動実行条件が成立している場合には、上記ステップＳ３０の判断がＮＯとなり、ステップＳ４０において、ワイパを駆動させる等の所定の制御を実行する。なお、このステップＳ４０では、たとえば、エアコンのモード変更（冷房からドライまたはその逆など）、ドアロック、ヘッドライトの角度変更、空気清浄機の作動等、運転者にとってその制御が行われたことが分からない、または、分かりにくい制御として予め設定された制御である場合には、制御を実行したことをスピーカ４０から通知する。このようにすることにより、運転者は、制御が行われたことを確実に知ることができるので、その制御を望まない場合には、操作し直すことが可能となる。
【００６９】
一方、前述のステップＳ３０の判断が肯定された場合、すなわち、問いかけ条件が成立した場合には、ステップＳ５０において、問いかけ禁止条件が成立するか否かをさらに判断する。この問いかけ禁止条件は、運転者が運転操作に集中すべき条件として予め設定されたものである。上記問いかけ禁止条件としては、（１）操舵角が連続的な操舵操作を要する角度として設定されている所定角度以上であること（すなわち、車両が曲がっている状態であること）、（２）加速度が急加速であることを意味する所定加速度以上であること（たとえばスロットル開度によって判断する）、（３）ヨーレートが所定値以上であること（前述の（１）と同等の判断を行うものである）、（４）ＧＰＳ等によって検出される車両位置が交差点内であること、（５）ブレーキが操作されていること、等がある。
【００７０】
問いかけ禁止条件が成立した場合には、本ルーチンを終了する。一方、問いかけ禁止条件が成立せず、上記ステップＳ５０の判断が否定された場合には、ステップＳ６０において、所定の問いかけメッセージをスピーカ４０から出力する。上記問いかけメッセージは、車両搭載機器１００、２００、３００の種類に応じて設定されており、且つ、肯定および否定のいずれか一方の指示を求める内容（たとえば、車両搭載機器がワイパである場合には「ワイパーを動かしますか」）となっている。なお、前述のステップＳ１０乃至Ｓ３０、およびステップＳ５０、Ｓ６０が問いかけ出力制御である。
【００７１】
上記ステップＳ６０を実行したら、ステップＳ７０において、問いかけが肯定されたか否かを判断する。この判断は、ステップＳ６０の実行後、所定時間内にＹＥＳボタン５０が押されたか否かを判断するものである。
【００７２】
所定時間内にＹＥＳボタン５０が押された場合にはステップＳ７０の判断が肯定されて、ステップＳ８０において、問いかけ内容に対応する制御を実行する。続くステップＳ９０では、上記ステップＳ８０または前述のステップＳ４０において制御を実行した機器を、それらステップＳ８０またはＳ４０を実行してから比較的短い所定時間内に搭乗者が再操作したか否かを判断する。
【００７３】
上記ステップＳ９０の判断が肯定された場合、すなわち、本自動制御装置１０が実行した制御内容が運転者によって変更された場合には、ステップＳ１００において問いかけ条件および自動実行条件を学習する。
【００７４】
まず、ステップＳ１００では、前述のステップＳ１０において取得した制御実行判断情報が予め区分された複数範囲においてどの範囲に含まれるかを決定する。なお、車両搭載機器１００、２００、３００に対する制御実行判断情報が複数種類ある場合には、まず、種類毎にステップＳ１０で取得した制御実行判断情報がどの範囲に属するかを決定するが、複数種類毎に決定した範囲の全てが同じ範囲である場合を同一範囲とする。
【００７５】
そして、ステップＳ４０を経由したステップＳ１００の実行の場合（すなわち、問いかけをすることなく制御を実行した場合）であれば、決定した範囲が問いかけ条件に含まれるように、問いかけ条件を広げるとともに自動実行条件を狭める。このようにすることにより、次回からは、同一条件では、制御が自動的に実行されずに、問いかけメッセージが出力されるようになるので、不必要な制御が実行されてしまうことにより運転者に不快感を与えてしまうことが防止できる。
【００７６】
一方、ステップＳ８０を経由したステップＳ１００の実行の場合には、制御の内容が運転者の意図した内容ではなかったと考えられるので、決定した範囲において行う制御として設定されている制御内容を再操作後の制御内容に変更する。
【００７７】
上記ステップＳ９０の判断が否定された場合、すなわち、再操作がなかった場合にも問いかけ条件および自動実行条件を学習するが、学習内容がステップＳ１００とは異なる。まず、ステップＳ１１０においてもステップＳ１００と同様に、前述のステップＳ１０において取得した制御実行判断情報が予め区分された複数範囲においてどの範囲に含まれるかを決定する。そして、決定した範囲の総和値（初期値は０）に対して加算値＋１を加える。その結果、総和値が所定の正側条件変更値以上となった場合には、制御実行判断情報が同一範囲である状態において、問いかけに対して運転者が多数回肯定の応答をしたことを意味し、この条件（制御実行判断情報の同一範囲）では、運転者は確実に制御実行を望んでいると考えられる。そこで、総和値が上記正側条件変更値以上となった場合には、上記範囲が自動実行条件に含まれるように問いかけ条件を狭くする一方、自動実行条件を広くする。
【００７８】
前述のステップＳ７０において、所定時間内にＮＯボタン６０が押された場合、または、所定時間内にＹＥＳボタン５０もＮＯボタン６０も押されなかった場合には、そのステップＳ７０の判断が否定される。
【００７９】
ステップＳ７０の判断が否定された場合にも、ステップＳ１２０において学習が行われる。このステップＳ１２０においても、まず、ステップＳ１００、Ｓ１１０と同様に、前述のステップＳ１０において取得した制御実行判断情報が予め区分された複数範囲においてどの範囲に含まれるかを決定する。そして、決定した範囲の総和値（初期値は０）に対してステップＳ１１０の加算値（すなわち＋１）よりも大きな数値（たとえば３）を減算する。このように、加算値よりも減算値を大きな数値とすることにより、自動実行条件は広がりにくくなる（同時に、問いかけ条件は狭くなりにくくなる）。しかし、自動実行条件において広がった範囲が、運転者が制御を希望している条件である確率は高くなるので、不必要なときに自動的に車両搭載機器１００、２００、３００の制御が実行されてしまう確率が低下する。
【００８０】
また、上記減算の結果、総和値が所定の負側条件変更値以下となった場合には、制御実行判断情報が同一範囲である状態において、問いかけに対して運転者が多数回否定の応答をしたことを意味し、この条件（制御実行判断情報の同一範囲）では、運転者は確実に制御実行を望んでいないと考えられる。そこで、総和値が上記負側条件変更値以上となった場合には、上記範囲が問いかけ条件に含まれないように（当然、自動実行条件にも含まれないように）問いかけ条件を狭くする。
【００８１】
前述のステップＳ２０の判断が否定された場合、すなわち、ステップＳ１０で取得した制御実行判断情報が問いかけ条件も自動実行条件も満たさない場合には、ステップＳ１３０において、車両搭載機器１００、２００、３００が手動操作されたか否かを判断する。この判断が否定された場合には本ルーチンを終了するが、肯定された場合には、ステップＳ１４０において学習を実行する。
【００８２】
このステップＳ１４０においても、まず、ステップＳ１００、Ｓ１１０、Ｓ１２０と同様に、前述のステップＳ１０において取得した制御実行判断情報が予め区分された複数範囲においてどの範囲に含まれるかを決定する。そして、決定した範囲が問いかけ条件に含まれるように、問いかけ条件を広げる。
【００８３】
図２に示すルーチンは、前述のように、繰り返し実行するようになっているので、ステップＳ６０における問いかけに対する運転者の応答結果を、ステップＳ１１０、Ｓ１２０で繰り返し学習することになる。その結果、次第に問いかけ条件が狭く、自動実行条件が広くなっていく。従って、次第に、問いかけの頻度が低下していくので、運転者が問いかけによって不快感を覚えることが少なくなっていき、しかも、必要なときに自動的に車両搭載機器の制御が実行される確率は向上していく。
【００８４】
また、上記ステップＳ１１０、Ｓ１２０の学習のみでは、当初、問いかけ条件に含まれていない条件は、ステップＳ１１０、Ｓ１２０の学習を繰り返しても自動実行条件となることはないが、問いかけをしていないのに手動操作がされた場合には、ステップＳ１４０において、問いかけ条件を広げるように学習をするようになっている。そして、ステップＳ１４０において広がった部分についても、ステップＳ１１０、Ｓ１２０において学習を繰り返すうちに、自動実行条件に含まれるようになる可能性がある。従って、当初の問いかけ条件をそれほど厳密に設定しなくても、学習によって漸次、自動実行条件を広くしていくことができる。
【００８５】
また、ステップＳ１１０およびＳ１２０における学習においては、加算値よりも減算値が大きくされていることによって、自動実行条件が広がりにくくなっており、その結果、運転者が望まない制御が実行されてしまうことが抑制される。それだけではなく、さらに、実行した制御が再操作によって変更または取り消された場合には、ステップＳ１００においてその内容を学習するようになっているので、運転者の望まない制御が実行されることが一層少なくなる。
【００８６】
以上、説明した本実施形態によれば、問いかけ条件を満たす場合には、車両搭載機器１００、２００、３００の制御を実行する前に、運転者に対してその車両搭載機器の制御を実行するか否かを問いかけるので、不必要なときに自動的に車両搭載機器１００、２００、３００の制御を実行してしまう確率を低減でき、且つ、その問いかけは、問いかけ条件を満たす場合のみなので、運転者が不快感を覚える確率を低減させることができる。しかも、自動実行条件を満たす場合には、その問いかけを実行することなく自動的に車両搭載機器１００、２００、３００の制御を実行するので、必要なときに自動的に制御を実行する確率は維持できる。
【００８７】
次に、本発明の第２実施形態を説明する。図３は、第２実施形態における自動制御装置４００の概略構成図である。第２実施形態は、ＮＯボタン６０が設けられていない点が前述の第１実施形態と異なる。すなわち、第２実施形態では、指示ボタンとして、一つの肯定ボタン５０のみが設けられている。
【００８８】
第２実施形態においても図２に示す制御を実行するが、ステップＳ７０における処理のみが第１実施形態と異なる。第１実施形態では、ステップＳ７０において、所定時間内にＮＯボタン６０が押された場合、または、所定時間内にＹＥＳボタン５０もＮＯボタン６０も押されなかった場合に、ステップＳ７０において否定判定していたが、第２実施形態では、ＮＯボタン６０が設けられていないので、所定時間内にＹＥＳボタン５０が押されなかった場合に否定判定する。
【００８９】
第２実施形態の自動制御装置４００は、上述した構成および制御内容以外は、第１実施形態と同様である。
【００９０】
以上、本発明の実施形態を説明したが、本発明は上述の実施形態に限定されるものではなく、次の実施形態も本発明の技術的範囲に含まれ、さらに、下記以外にも要旨を逸脱しない範囲内で種々変更して実施することができる。
【００９１】
たとえば、前述の実施形態のステップＳ１４０における学習は、ステップＳ１０において取得した制御実行判断情報が含まれるように問いかけ条件を拡張するものであったが、その制御実行判断情報方向が含まれるまで問いかけ条件を拡張しなくても、問いかけ条件の境界値をその制御実行判断情報方向に所定値拡張するものであってもよい。
【００９２】
また、ステップＳ１００における学習も同様に、取得した制御実行判断情報方向が含まれるまで問いかけ条件を拡張しなくても、問いかけ条件の境界値をその制御実行判断情報方向に所定値拡張するものであってもよい。
【００９３】
前述の実施形態では、問いかけに対して指示ボタン（ＹＥＳボタン５０およびＮＯボタン６０、またはＹＥＳボタン５０のみ）で応答するようになっていたが、音声によって応答するようになっていてもよい。
【００９４】
また、前述の実施形態では、スピーカ４０から問いかけメッセージを出力させていたが、スピーカ４０からの出力に代えて、或いは、それに加えて、ディスプレイ７０に問いかけメッセージを出力してもよい。この場合には、ディスプレイ７０が出力装置として機能する。
【００９５】
また、前述の実施形態では、搭乗時に、問いかけメッセージをスピーカ４０から出力して、問いかけ出力制御の実行を許可するか否かを確認していたが、確認を行わずに、自動的に問いかけ出力制御を実行するようにしてもよい。
【００９６】
また、前述の第１実施形態のステップＳ７０では、所定時間内にＹＥＳボタン５０およびＮＯボタン６０のいずれも押されなかった場合には、ＮＯボタン６０が押された場合と同様に、問いかけが否定されたと判断していたが、逆に、所定時間内にＹＥＳボタン５０およびＮＯボタン６０のいずれも押されなかった場合に、問いかけが肯定されたと判断するようにしてもよい。
【図面の簡単な説明】
【００９７】
【図１】本発明の第１実施形態における車両搭載機器の自動制御装置１０を示す図である。
【図２】図１の制御装置２０の制御機能の要部を説明するフローチャートである。
【図３】本発明の第２実施形態における車両搭載機器の自動制御装置４００を示す図である。
【符号の説明】
【００９８】
１０：車両搭載機器の自動制御装置
２０：制御装置
４０：スピーカ（出力装置）
５０：ＹＥＳボタン（肯定ボタン、指示ボタン）
６０：ＮＯボタン（否定ボタン、指示ボタン）
１００：車両搭載機器
２００：車両搭載機器
３００：車両搭載機器
４００：車両搭載機器の自動制御装置
【図１】
2007038932.tif 000003
【図２】
2007038932.tif 000004
【図３】
2007038932.tif 000005